(57)【特許請求の範囲】
【請求項１】
複数枚の表示パネルの両端を、左右一対の回転部材に枢着した遊技機の回転表示装置であって、
各回転部材の回転軸を、水平面内で遊技盤面に対して同一角度で傾斜させて配置し、
各表示パネルを、一方の回転部材の前面側の周縁部と、他方の回転部材の後面側の周縁部とに、遊技盤面に対して平行となるよう取付けたことを特徴とする遊技機の回転表示装置。
【請求項２】
複数の回転部材を、上下方向に隣接配置したことを特徴とする請求項１に記載の遊技機の回転表示装置。
【請求項３】
前記回転部材が、前記表示パネルを左右直径が上下直径よりも大きい円形状の軌道で回動させることを特徴とする請求項１または２に記載の遊技機の回転表示装置。
【請求項４】
前記回転部材は、固定側の外輪と、モータにより駆動される内輪とからなるものとし、
該外輪には、左右直径が上下直径よりも大きい円形状の案内溝を形成するとともに、
該内輪には、中心から放射状に延びる複数のスリットを形成し、
前記表示パネルの両端を、前記スリットを介して前記案内溝に挿通したことを特徴とする請求項３記載の遊技機の回転表示装置。
【請求項５】
前記表示パネルの両端を、前記回転部材の回転軸と同一角度で傾斜させたことを特徴とする請求項１乃至４の何れかに記載の遊技機の回転表示装置。
【発明の詳細な説明】
【技術分野】
【０００１】
本発明は、図柄が施された表示パネルを回転させることにより図柄を切り替える、遊技機の回転表示装置に関するものである。
【背景技術】
【０００２】
遊技機には様々な表示装置が取付けられており、例えば特許文献１のように、表面に図柄が施された回転体をモータにより回転させて図柄を切り替えることで、入賞の有無やリーチモードを表す等して、遊技の興趣を高めるものがある。このような回転表示装置においては、回転体の回転軸は遊技盤面に対して何れも平行に、水平または垂直となるよう設けられていることが通常である。即ち、遊技者から見て、表示部に表示される図柄は上下方向または左右方向に連続的に切り替えられる。
【０００３】
かかる構成によれば、回転体の回転径がそのまま表示部の奥行幅となるため、他の構成部品等を組み合わせる、または表示を多数とするための充分なスペースを確保できないという問題があった。
【先行技術文献】
【特許文献】
【０００４】
【特許文献１】特開２０１２−５５６１７号公報
【発明の概要】
【発明が解決しようとする課題】
【０００５】
本発明の目的は前記した従来の問題点を解決し、表示部の奥行幅が小さい遊技機の回転表示装置を提供することである。
【課題を解決するための手段】
【０００６】
上記課題を解決するためになされた本発明は、複数枚の表示パネルの両端を、左右一対の回転部材に枢着した遊技機の回転表示装置であって、各回転部材の回転軸を、水平面内で遊技盤面に対して同一角度で傾斜させて配置し、各表示パネルを、一方の回転部材の前面側の周縁部と、他方の回転部材の後面側の周縁部とに、遊技盤面に対して平行となるよう取付けたことを特徴とするものである。
【０００７】
請求項２記載の発明は、請求項１記載の遊技機の回転表示装置において、複数の回転部材を、上下方向に隣接配置したことを特徴とするものである。
【０００８】
請求項３記載の発明は、請求項１または２に記載の遊技機の回転表示装置において、前記回転部材が、前記表示パネルを左右直径が上下直径よりも大きい円形状の軌道で回動させることを特徴とするものである。
【０００９】
請求項４記載の発明は、請求項３記載の遊技機の回転表示装置において、前記回転部材は、固定側の外輪と、モータにより駆動される内輪とからなるものとし、該外輪には、左右直径が上下直径よりも大きい円形状の案内溝を形成するとともに、該内輪には、中心から放射状に延びる複数のスリットを形成し、前記表示パネルの両端を、前記スリットを介して前記案内溝に挿通したことを特徴とするものである。
【００１０】
請求項５記載の発明は、請求項１乃至４の何れかに記載の遊技機の回転表示装置において、前記表示パネルの両端を、前記回転部材の回転軸と同一角度で傾斜させたことを特徴とするものである。
【発明の効果】
【００１１】
本発明に係る遊技機の回転表示装置は、各回転部材の回転軸を、水平面内で遊技盤面に対して同一角度で傾斜させて配置し、各表示パネルを、一方の回転部材の前面側の周縁部と、他方の回転部材の後面側の周縁部とに、遊技盤面に対して平行となるよう取付けるものとした。これにより、従来と比較して表示パネルの奥行幅、即ち図柄が表示される表示部の奥行幅が小さくなり、他の構成部品等を組み合わせる、または表示を多数とするための充分なスペースを確保することができるものとなる。さらに、回転軸が傾斜していることから、表示パネルは後方へと吸い込まれていく、または後方から湧き出てくるように視認されるため、遊技の興趣をさらに高めることができる。
【００１２】
請求項２に係る発明のように、複数の回転部材を上下方向に隣接配置するものとすれば、表示パネルを上部と下部とにそれぞれ分割して設けることができることとなり、これにより回転部材を小型化することができ、奥行幅をさらに小さくすることができるものとなる。
【００１３】
請求項３に係る発明は、回転部材により、表示パネルを左右直径が上下直径よりも大きい円形状の軌道、即ち長円軌道で回動させるものとした。これにより、表示部の高さ幅を減少させることができる。より詳細には、請求項４のように、固定側の外輪に、左右直径が上下直径よりも大きい円形状の案内溝を形成するとともに、モータにより駆動される内輪に、中心から放射状に延びる複数のスリットを形成し、表示パネルの両端を、スリットを介して案内溝に挿通するものとした。これにより、各表示パネルの両端は、案内溝に沿って長円軌道で回動することとなる。したがって、表示パネルも長円軌道を描くこととなるため、回転部材が真円形状のものと比較して、表示部の高さ幅を減少させることができる。
【図面の簡単な説明】
【００１４】
【図１】遊技機を示す全体図である。
【図２】第１の実施形態を示す斜視図である。
【図３】第１の実施形態を示す分解斜視図である。
【図４】第１の実施形態を示す上面図である。
【図５】第２の実施形態を示す斜視図である。
【図６】第２の実施形態を示す分解斜視図である。
【図７】第２の実施形態を示す上面図である。
【図８】第２の実施形態における表示パネルの図柄の経時変化を示す図である。
【図９】第３の実施形態を示す分解斜視図である。
【図１０】第３の実施形態を示す正面図である。
【図１１】第３の実施形態における回転部材を示す拡大図である。
【図１２】第３の実施形態を示す上面図である。
【発明を実施するための形態】
【００１５】
図１に示すように、遊技機２１の前面側には遊技盤２２が設けられており、その中央部には液晶画面２３が配設されている。また液晶画面２３の右上には、表示部２４が設けられている。この表示部２４は、液晶画面２３に表示される映像等と連動して、後述する回転表示装置１を稼働させて図柄を連続的に切り替えることにより、入賞の有無やリーチモードを表す等して、遊技の興趣を高めるものである。なお、２５は遊技球を供給する上皿、２６は遊技球を発射するハンドル、２７は遊技球を貯める下皿である。ハンドル２６の操作により遊技領域へと発射された遊技球が入賞装置２８に入った場合、所定数の賞球が払い出され、また入賞装置２８に入らずアウト口２９に入った場合、アウト球となる。以下、回転表示装置１の詳細について説明する。
【００１６】
（第１の実施形態）
図２及び図３に、第１の実施形態として示す回転表示装置１は、その表面に図柄が施されるとともに、矩形状に形成された透明または半透明の８枚の表示パネル２の両端を、左右一対に設けた円形の回転部材３の周縁部にそれぞれ取付けたものである。詳細には、表示パネル２の両端に突出形成した突起７を、回転部材３の周縁部に形成した孔部８に枢着し、図示しないネジ等により固定するものとした。回転部材３は、その回転軸が取付ベース４に枢着されており、この取付ベース４は遊技機２１内にネジ止め等によって固定される。そして、一方の回転部材３をモータ５により回転させることで、表示パネル２が回転することとなり、これにより遊技の興趣を高めることができる。
【００１７】
図４のように、双方の回転部材３の回転軸は、水平面内で遊技盤２２の盤面に対して同一角度で傾斜させて配置するものとした。また図３のように、表示パネル２の両端の突起７は、回転部材３の回転軸と同一角度で傾斜させて形成されており、各表示パネル２は、左側に設けた回転部材３の前面側の周縁部と、右側に設けた回転部材３の後面側の周縁部とに等間隔で取付けられる。さらに、図４のように、各表示パネル２は、遊技盤２２の盤面に対して平行となるよう取付けるものとした。なお、取付ベース４及びモータ５も、回転部材３の回転軸と同一角度で傾けて配置するものとすれば、より簡単な構成となる。
【００１８】
各表示パネル２に施された図柄は、それぞれが独立した図柄でも良く、または複数枚が同一垂直平面上となったときに、組み合わされて１つの図柄を構成するものとしても良いものである。
【００１９】
以上の構成により、従来と比較して表示パネル２の奥行幅、即ち表示部２４の奥行幅が小さくなり、他の構成部品等を組み合わせる、または表示を多数とするための充分なスペースを確保することができるものとなる。また、回転軸が傾斜していることから、表示パネル２は後方へと吸い込まれていく、または後方から湧き出てくるように視認されるため、遊技の興趣をさらに高めることができる。さらに、各表示パネル２は遊技盤２２の盤面に対して平行となるよう取付けられているため、図柄が常に遊技者側に向いた状態で回転されることとなり、視認性が良いものとなる。
【００２０】
なお、図４によれば、取付ベース４及びモータ５を傾斜させて配置することにより回転表示装置１自体の奥行幅は大きくなるが、取付ベース４及びモータ５が設けられる箇所は表示部２４の左右外側位置であるため、充分な設置スペースが存在する。したがって、本実施形態のような構成により表示部２４の奥行幅を小さくすることで、上記の作用効果が得られるものとなる。
【００２１】
図３及び図４のように、各表示パネル２の内側中央には基板６が設けられており、この基板６を発光させることで、光が表示パネル２を透過し、遊技の興趣を高める。なお、表示パネル２と同様に、基板６の両端は回転部材３の回転軸と同一角度で傾斜させて形成されており、両端が回転部材３の回転軸に枢着されている。
【００２２】
なお、表示パネル２の左右側面は、回転部材３の回転を妨げないよう斜めにカットすることが好ましい。
【００２３】
（第２の実施形態）
図５乃至図７には第２の実施形態を示す。この実施形態は、第１の実施形態に対して、回転部材３を上下方向に複数隣接配置することで、表示パネル２を上部と下部とにそれぞれ分割して設けることができるものとし、これにより回転部材３を小型化でき、奥行幅をさらに減少させることを可能としたものである。
【００２４】
図５及び図６のように、矩形状に形成された４枚の表示パネル２の両端は、左右一対に設けられた略十文字状の回転部材３の周縁部にそれぞれ取付けられている。そして、第１の実施形態と同様、表示パネル２の両端には突起７が形成されており、この突起７を回転部材３の周縁部に形成した孔部８に枢着した上で、図示しないネジ等により固定がなされる。さらに、回転部材３が上下方向に２つ、同一垂直線上に隣接配置されており、その回転軸は取付ベース４に枢着されている。なお、回転により上下２つの回転部材３が干渉することがないよう、両者は位相をずらした状態で配設されている。ここで、回転部材３の回転軸はＤカット軸９となっており、この回転軸が嵌合する孔部１０を備えた回転ギア１１が上下方向に２つ、両者が噛合された状態で設けられている。即ち、モータ５により１つの回転部材３を回転させれば、連動してすべての回転部材３が回転し、表示パネル２が回転することとなる。
【００２５】
図７のように、第１の実施形態と同様、各回転部材３の回転軸は、水平面内で遊技盤２２の盤面に対して同一角度で傾斜させて配置するものとして、奥行幅を減少させるものとした。以上のように、回転部材３を上下方向に複数配置して、表示パネル２を上部と下部とにそれぞれ分割して設けるものとすれば、第１の実施形態と比較してさらに奥行幅を小さくすることができるものとなる。
【００２６】
さらに、２つの回転ギア１１を噛合させていることから、上部の各表示パネル２と下部の各表示パネル２とは逆方向に回転することとなる。例えば図８（ａ）中の矢印に示す方向に上下の表示パネル２がそれぞれ回転するものとすれば、図８（ａ）〜（ｈ）の順に図柄が変化するものとなる。これにより、第１の実施形態と比較しても両者が相互に干渉するように視認され、より後方へと吸い込まれていくような錯覚を遊技者に与えることとなり、遊技の興趣をさらに高めることができる。なお、回転ギア１１を逆方向に回転させるものとすれば、図柄は図８（ｈ）〜（ａ）の順に変化し、即ち、より後方から湧き出てくるような錯覚を遊技者に与えることとなる。
【００２７】
なお、第２の実施形態では２つの回転ギア１１を噛合させるものとしたが、必ずしもこれに限定されず、複数のモータ５により個別に回転させるものとしても良い。これによっても、上下方向に回転部材３を複数隣接配置し、表示パネル２を上部と下部とにそれぞれ分割して設けることで、奥行幅が小さいものとなる。しかしながら、モータ５数の削減、及び上記した上部の各表示パネル２と下部の各表示パネル２とが相互に干渉するように錯覚して視認される作用効果を鑑みれば、回転ギア１１を設けて両者を噛合させることがより好ましい。また、第２の実施形態は基板６を設けていないものであるが、第１の実施形態と同様、表示パネル２を透明または半透明のものとした上で、基板６を表示パネル２の内側中央に設けて発光させるものとしても良いことは言うまでもない。
【００２８】
（第３の実施形態）
図９乃至図１２には、第３の実施形態を示す。この実施形態は、図９のように回転部材３を、図示しない取付ベースに固定される円形状の外輪１２と、モータ５により駆動される円形状の内輪１３とにより構成したものである。外輪１２には、その内側に立設された壁部１４、１４間に案内溝としての楕円溝１５を形成するものとした。内輪１３には、モータ５により駆動されるモータギア１７と噛合する、ギア１６が形成されている。また、内輪１３には、その中心から放射状に延びる長孔状のスリット１８を複数するものとした。このスリット１８の形成数は、表示パネル２の枚数と同数である。そして、図１０及び図１１のように、表示パネル２の両端に形成された突起７を、スリット１８を介して楕円溝１５に挿通するものとした。
【００２９】
以上の構成により、モータ５を駆動させることにより内輪１３が回転し、内輪１３のスリット１８に摺動自在に挿通された突起７が楕円溝１５に沿って楕円軌道で回動することとなる。したがって、表示パネル２も楕円軌道を描くこととなり、回転部材３が真円形状である第１の実施形態と比較して、表示部２４の高さ幅を減少させることができる。
【００３０】
なお、案内溝は楕円形状に限定されず、左右直径が上下直径よりも大きい円形状であれば良い。即ち、回転部材３により、表示パネル２を長円軌道で回動させることができるものであれば差し支えない。
【００３１】
図１２に示すように、第１及び第２の実施形態と同様、双方の回転部材３の回転軸を、水平面内で遊技盤２２の盤面に対して同一角度で傾斜させて配置するものとした。これにより、表示部２４の奥行幅が小さくなる。したがって、本実施形態のように回転部材３の回転軸を傾斜させて配置するとともに、前述のように、回転部材３の外輪１２に楕円溝１５を設けて、表示パネル２を楕円軌道で回動させることにより、表示部２４をさらに省スペースとすることができるものとなる。
【００３２】
なお、外輪１２をさらに内側と外側の２部材からなるものとし、この２部材間に形成された楕円状の貫通孔により、楕円溝１５を構成するものとしても良い。この場合においては、突起７を楕円溝１５に挿通した上で、楕円溝１５の溝幅よりも径大な鍔部を有するネジ等を、突起７の先端に、突起７の挿入方向反対側より取付けることができる。これにより、突起７が楕円溝１５から抜け落ちることを防止することが可能となる。
【００３３】
さらに、第２の実施形態と同様に、回転部材３を上下方向に複数隣接配置することで、表示パネル２を上部と下部とにそれぞれ分割して設けることができるものとしても良い。この場合、上下２つの表示パネル２が干渉することがない位置に、各突起７を配置した上で、それぞれ楕円溝１５に挿通する。これにより、第２の実施形態と比較して、さらに表示部２４の高さ幅を減少させることができるものとなる。
【符号の説明】
【００３４】
１  回転表示装置
２  表示パネル
３  回転部材
４  取付ベース
５  モータ
６  基板
７  突起
８  孔部
９  Ｄカット軸
１０  孔部
１１  回転ギア
１２  外輪
１３  内輪
１４  壁部
１５  楕円溝
１６  ギア
１７  モータギア
１８  スリット
２１  遊技機
２２  遊技盤
２３  液晶画面
２４  表示部
２５  上皿
２６  ハンドル
２７  下皿
２８  入賞装置
２９  アウト口
【図１】
0006446651.tif 000002
【図２】
0006446651.tif 000003
【図３】
0006446651.tif 000004
【図４】
0006446651.tif 000005
【図５】
0006446651.tif 000006
【図６】
0006446651.tif 000007
【図７】
0006446651.tif 000008
【図８】
0006446651.tif 000009
【図９】
0006446651.tif 000010
【図１０】
0006446651.tif 000011
【図１１】
0006446651.tif 000012
【図１２】
0006446651.tif 000013